(57)【要約】【課題】常時装着が可能で視野が広く、且つ、ピンホールの瞳孔位置への再配置が不必要なピンホール眼鏡を提供する。【解決手段】本発明にかかるピンホール眼鏡は、眼鏡フレームに装着され、且つ、瞳孔前方に配置されるレンズとからなる眼鏡において、レンズとして、第一の偏光板と一つ以上のピンホールを形成した第二の偏光板とを配置し、第一の偏光板と第二の偏光板はどちらか一方を制御し、ピンホール以外の部分を透過あるいは遮光に切り替える機構を有したことを特徴とするものであって、通常生活では矯正が必要でない人が急遽矯正が必要になった場合（例えば老眼など）、ピンホール以外の部分を透過から遮光に切り替えることでピンホール効果によって鮮明に光（対象物）を認識することが可能となる。また、一般的な眼鏡と同様の形状をしているため、ピンホールの瞳孔位置への再配置が不必要となる。【選択図】図１
2007212622.tif 000002
【特許請求の範囲】
【請求項１】
眼鏡フレームに装着され、且つ、瞳孔前方に配置されるレンズとからなる眼鏡において、前記レンズとして、光軸上に配置された第一の偏光板と、前記第一の偏光板と同じ光軸上に配置され、少なくとも一つ以上のピンホールを形成した第二の偏光板とを配置し、前記第一の偏光板と前記第二の偏光板は少なくともどちらか一方を制御する制御手段を有し、前記ピンホール以外の部分を透過あるいは遮光に切り替える機構を有することを特徴としたピンホール眼鏡。
【請求項２】
前記制御手段は機械的制御または電気的制御であることを特徴とした請求項１記載のピンホール眼鏡。
【請求項３】
前記第一の偏光板および前記第二の偏光板の光軸上の前方もしくは後方に矯正用レンズを配置することを特徴とした請求項１記載および請求項２のいずれか記載のピンホール眼鏡。
【請求項４】
前記第一の偏光板と前記第二の偏光板のどちらか一方を、光軸を中心に回転させることで、前記第一の偏光板の透過軸と前記第二の偏光板の透過軸の交わりによってピンホール以外の部分の透過光量を調整することを特徴とした請求項１〜３のいずれか記載のピンホール眼鏡。
【請求項５】
前記第一の偏光板と前記第二の偏光板は、前記第一の偏光板の透過軸と前記第二の偏光板の透過軸とが垂直に交わるように少なくともどちらか一方の透過軸を９０度回転できることを特徴とした請求項４記載のピンホール眼鏡。
【請求項６】
眼鏡フレームに装着され、且つ、瞳孔前方に配置されるレンズとからなる眼鏡において、前記レンズとして、二枚の透過軸を垂直に配置した偏光板の間にピンホールを形成した電極であるガラス基板を対向するように配置し、その対向したガラス基板の間に液晶を封入し、ピンホール以外の部分を透過あるいは遮光に切り替えることを特徴としたピンホール眼鏡。
【請求項７】
前記レンズの光軸上の前方もしくは後方に矯正用レンズを配置することを特徴とした請求項６記載のピンホール眼鏡。
【請求項８】
前記ガラス基板の電極に電圧を印加することで電極に形成したピンホール以外の部分を透過あるいは遮光に切り替えることを特徴とした請求項６および請求項７のいずれか記載のピンホール眼鏡。
【発明の詳細な説明】
【技術分野】
【０００１】
本発明は、屈折異常者（近視、遠視、乱視、老眼）の視力を補正するレンズに関するものであって、より具体的にはピンホールレンズと通常のレンズとを切り替えて使用するピンホールメガネに関するものである。
【背景技術】
【０００２】
従来、眼鏡レンズにピンホールを配置し、ピンホール現象（所定の見る対象物から出た光を小さなピンホールを通して見る場合、光が屈折せずに光の直進性により光が網膜に直接達するために対象物をはっきり見える現象のことを言う。）により視力補正を行うレンズは知られている。通常、このようなピンホール眼鏡は、外側から内側（目の側）へ通過する光をピンホールからのみとして遮光するものとなっている。すなわち、ピンホール以外の部分からの透光量が多いとピンホール現象が得られなくなるため、レンズの透光率は非常に小さくする必要がある。
【０００３】
例えば、一つのピンホールが直径０．７ｍｍから２ｍｍの円もしくはこの円に内接または外接する正多角形を有し、ピンホールを一辺の長さが２ｍｍから５．５ｍｍの正三角形をなす千鳥状位置に複数個配置し、その他の部分は不透明部分からなるレンズなどが提案されている。（例えば、特許文献１参照）
また、例えば、使用者の瞳孔位置に対応したピンホールを配置した有色透明部材と眼鏡レンズとを重合させた（重ね合わせた）構造のピンホール脱着可能な眼鏡が提案されている。（例えば、特許文献２参照）
【特許文献１】特許第２５５６９８９号公報
【特許文献２】特開平０１−１５４０２２号公報
【発明の開示】
【発明が解決しようとする課題】
【０００４】
しかしながら、上記のピンホール眼鏡においては以下のような課題がある。
【０００５】
前者については、屈折異常者（近視、遠視、乱視、老眼）は眼鏡を使用するが、体調や場所等により屈折率が変動し、視力に差異が生じる。また、不透明な遮光レンズに無数のピンホールを形成した場合、常時サングラス状態はピンホール眼鏡の原理上しかたないものであるが、不透明な遮光レンズ部分に無数のピンホールが開いたサングラスをかけているような外観では第三者から見て見栄えが悪い。更に常時装着するには不透明な遮光レンズを用いているため視野が狭くなり、歩行や自動車の運転などに使用することは大変危険である。
【０００６】
後者については、前記有色透明部材のピンホールが使用者の瞳孔位置に配置する構造のものであり、ピンホールの配置位置からして視界の中心の狭い範囲にピントを合わせることしかできない。また、ピンホール部分が眼鏡フレームより脱着が可能なため、ピンホールを瞳孔前方に再配置するのは困難なものである。
【０００７】
本発明は、これら従来の課題を解決するもので、常時装着が可能で視野が広く、且つ、ピンホールの瞳孔位置への再配置が不必要なピンホール眼鏡を提供することを目的とする。
【課題を解決するための手段】
【０００８】
従来の課題を解決するために、本発明のピンホール眼鏡は、眼鏡フレームに装着され、且つ、瞳孔前方に配置されるレンズとからなる眼鏡において、レンズとして、第一の偏光板と少なくとも一つ以上のピンホールを形成した第二の偏光板とを配置し、第一の偏光板と第二の偏光板は少なくともどちらか一方を制御してピンホール以外の部分を透過あるいは遮光に切り替える機構を有したことを特徴とするものである。
【０００９】
また、眼鏡フレームに装着され、且つ、瞳孔前方に配置されるレンズとからなる眼鏡において、レンズとして、二枚の透過軸を垂直に配置した偏光板の間にピンホールを形成した電極であるガラス基板を対向するように配置し、その対向したガラス基板の間に液晶を封入してピンホール以外の部分を透過あるいは遮光に切り替えることを特徴とするものである。
【発明の効果】
【００１０】
本発明にかかるピンホール眼鏡は、眼鏡フレームに装着され、且つ、瞳孔前方に配置されるレンズとからなる眼鏡において、レンズとして、第一の偏光板と一つ以上のピンホールを形成した第二の偏光板とを配置し、第一の偏光板と第二の偏光板はどちらか一方を制御してピンホール以外の部分を透過あるいは遮光に切り替える機構を有したことを特徴とするものであって、通常生活では矯正が必要でない人が急遽矯正が必要になった場合（例えば老眼など）、ピンホール以外の部分を透過から遮光に切り替えることで鮮明に光（対象物）を認識することが可能となる。
【００１１】
また、眼鏡フレームに装着され、且つ、瞳孔前方に配置されるレンズとからなる眼鏡において、レンズとして、二枚の透過軸を垂直に配置した偏光板の間にピンホールを形成した電極であるガラス基板を対向するように配置し、その対向したガラス基板の間に液晶を封入してピンホール以外の部分を透過あるいは遮光に切り替えることを特徴とするものであって、通常生活では矯正が必要でない人が急遽矯正が必要になった場合（例えば老眼など）、ピンホール以外の部分を透過から遮光に切り替えることで鮮明に光（対象物）を認識することが可能となる。
【００１２】
以上のように本発明のピンホール眼鏡を使用することで、常時装着が可能で視野が広く、且つ、ピンホールの瞳孔位置への再配置が不必要なピンホール眼鏡を可能とする。
【発明を実施するための最良の形態】
【００１３】
以下に、本発明のピンホール眼鏡の実施の形態を図面とともに詳細に説明する。
【実施例１】
【００１４】
本発明の実施例１について図１、図２、図３、図１０を用いて説明する。
【００１５】
実施例１は屈折異常（近視、遠視、乱視、老眼）をピンホール現象のみで矯正する偏光板を使用したピンホール眼鏡を説明する。
【００１６】
図1は本発明の偏光板を使用したピンホール眼鏡１の構成を示す図である。
【００１７】
本発明のピンホール眼鏡１は眼鏡フレーム２、第一の偏光板３、第二の偏光板４より構成されている。詳細には、眼鏡フレーム１に第一の偏光板３が固定され、その前方または後方に、ピンホールを形成し光軸を中心に回転可能な機構を有した第二の偏光板４が配置されている。また、眼鏡フレームへの固定方法としてはこれに限られるものではない。
【００１８】
第一の偏光板３または第二の偏光板４は、あらゆる方向に振動している光から透過軸と同一方向に振動している光だけを透過させる透明基板であって、このような効果を得られる透明基板であれば如何なるものでも良い。
【００１９】
第二の偏光板４の回転機構としては、手動にて回転させる方法と原動機等を用いてスイッチ操作によって回転させる方法等が挙げられる。（図示せず）また、回転角度としては第一の偏光板３の透過軸と第二の偏光板４の透過軸とが並行となる角度から光を遮光する第一の偏光板３の透過軸と第二の偏光板４の透過軸と垂直となる角度まで回転すればよく、好ましくは９０度回転すれば良い。
【００２０】
第二の偏光板４のピンホール５は、図２に示すように貫通孔もしくは部分的に偏光軸を無くすことによって形成すればよく、図１０に示すように、視力の異なる屈折異常者にピンホール５の直径Ｄが異なったレンズを装着し視力検査を行った結果、個人によってバラツキはあったもののピンホール５の直径Ｄは０．５ｍｍから２ｍｍに最も明確に見えるピークがあり、この範囲であることが好ましい。図２においてはピンホール５を円にて記載しているが、これに限られるものではなく、例えばこの円に内接または外接する正多角形をなしているピンホール５でも良い。
【００２１】
また、ピンホール５の配置に付いては図２に示すようにピンホール５間の長さＬが２ｍｍから５ｍｍの位置に１個以上配置することが好ましい。また、ピンホール５は実施例１では第二の偏光板４に形成しているが、第一の偏光板３または第二の偏光板４のどちらか一方にピンホールが形成されていれば良い。
【００２２】
本発明のピンホール眼鏡１の動作方法について図３を用いて説明する。
【００２３】
通常使用時には、図３（ａ）に示すように、第一の偏光板３と第二の偏光板４の透過軸は同じ方向になっているため、透過軸方向の光（対象物）６は偏光板全体を透過することが出来る。詳細には光（対象物）６が第一の偏光板３に入射すると第一の偏光板３の透過軸７ａの方向に偏光される。次に第一の偏光板３によって偏光された光（対象物）６は第一の偏光板３の透過軸７ａと同じ方向に第二の偏光板の透過軸８ａを配置した第二の偏光板４を透過して眼９によって図３（ａ）の見え方９ａに示すようにレンズ全体で光（対象物）を認識する。
【００２４】
次に、屈折異常の矯正時には図３（ｂ）に示すように、第一の偏光板３の透過軸に対して第二の偏光板４の透過軸を９０度回転させてピンホール５以外の部分を遮光とし、ピンホール５からのみ光（対象物）６を透過することが出来る。詳細には光（対象物）６が第一の偏光板３に入射すると第一の偏光板３の透過軸７ｂの方向に偏光される。次に第一の偏光板３によって偏光された光（対象物）６は第一の偏光板３の透過軸７ｂと９０度透過軸が異なるように回転させた第二の偏光板４に入射すると、第二の偏光板の透過軸８ｂが９０度異なっているため、ピンホール５が形成している以外の部分は遮光されて図３（ｂ）の見え方９ｂに示すようにピンホール５からのみ光（対象物）６が透過し、小さなピンホールを通して見た場合、水晶体の内部を光が屈折せずに光の直進性により光が網膜に直接達するためにピンホール効果によって鮮明に光（対象物）６を認識することが可能となる。
【００２５】
以上のようなピンホール眼鏡１を使用することで通常生活では矯正が必要でない人が急遽矯正が必要になった場合（例えば老眼など）においても第二の偏光板４を９０度回転させることで鮮明に光（対象物）６を認識することが可能となる。また、一般的な眼鏡と同様の形状をしているため、ピンホールの瞳孔位置への再配置が不必要となる。
【実施例２】
【００２６】
次に本発明の実施例２について、図４、図５を用いて説明する。
【００２７】
実施例２は屈折異常（近視、遠視、乱視、老眼）をピンホール現象および矯正用レンズを用いて２つ以上の屈折異常を矯正する偏光板を使用したピンホール眼鏡を説明する。
【００２８】
図４は本発明の偏光板を使用したピンホール眼鏡の構成を示す図である。
【００２９】
本発明のピンホール眼鏡１０は実施例１のピンホール眼鏡１の第一の偏光板３および第二の偏光板４の前方あるいは後方に矯正用レンズ１１を配置したものである。矯正用レンズ１１としては、通常で近視の矯正が必要な場合においては凹レンズを用い、遠視の矯正が必要な場合においては凸レンズを用いることが出来る。本発明においてはこれに限られるものではなく、その他のレンズを用いても良い。
【００３０】
本発明のピンホール眼鏡１０の動作方法について図５を用いて説明する。
【００３１】
通常の矯正時においては、５（ａ）に示すように、第一の偏光板３と第二の偏光板４の透過軸は同じ方向になっているため、透過軸方向の光（対象物）６は偏光板全体を透過することにより矯正用レンズ１１全体によって見ることが出来る。詳細には光（対象物）６が第一の偏光板３に入射すると第一の偏光板３の透過軸７ａの方向に偏光される。次に第一の偏光板３によって偏光された光（対象物）６は第一の偏光板３の透過軸７ａと同じ方向に第二の偏光板の透過軸８ａを配置した第二の偏光板４を透過し、更に矯正用レンズ１１を透過して眼９によって図５（ａ）の見え方９ｃに示すようにレンズ全体で光（対象物）６を認識する。
【００３２】
次に、その他の屈折異常の矯正時には図５（ｂ）に示すように、第一の偏光板３の透過軸に対して第二の偏光板４の透過軸を９０度回転させてピンホール５以外の部分は遮光してピンホール５からのみ光（対象物）６を透過することが出来る。詳細には光（対象物）６が第一の偏光板３に入射すると第一の偏光板３の透過軸７ｂの方向に偏光される。次に第一の偏光板３によって偏光された光（対象物）６が第一の偏光板３の透過軸７ｂと９０度透過軸が異なるように回転させた第二の偏光板４に入射すると、第二の偏光板の透過軸８ｂが９０度異なっているため、ピンホール５が形成している以外の部分は遮光されて図５（ｂ）の見え方９ｄに示すようにピンホール５からのみ光（対象物）６が透過する。よって小さなピンホールを通して見た場合、矯正用レンズ１１を透過し、更に水晶体の内部を光が屈折せずに光の直進性により光が網膜に直接達するためにピンホール効果によって鮮明に光（対象物）６を認識することが可能となる。
【００３３】
実施例２に記載のピンホール眼鏡１０は基本的に、屈折異常を２つ以上有する場合、例えば近視の屈折異常者で且つ老眼の屈折異常を持つ人や遠視の屈折異常者で且つ老眼の屈折異常を持つ人に有効であり、以上のようなピンホール眼鏡１０を使用することで通常生活での矯正も行い且つ急遽その他の矯正が必要になった場合においても第二の偏光板４を９０度回転させることで鮮明に光（対象物）６を認識することが可能となる。また、一般的な眼鏡と同様の形状をしているため、ピンホールの瞳孔位置への再配置が不必要となる。
【実施例３】
【００３４】
本発明の実施例３について、図６、図７、図８を用いて説明する。
【００３５】
実施例３は屈折異常（近視、遠視、乱視、老眼）をピンホール現象のみで矯正する液晶を使用したピンホール眼鏡を説明する。
【００３６】
図６は本発明の液晶を使用したピンホール眼鏡の構成を示す図である。
本発明のピンホール眼鏡１７は眼鏡フレーム２、液晶１２、ガラス基板１３、偏光板Ａ１４ａ、偏光板Ｂ１４ｂ、電源１６、切り替えスイッチ１７より構成されている。詳細には、液晶１２を２枚のガラス基板１３に挟み込み、周りがシールされた構造を有している。ガラス基板１３の内面には、液晶１２に電圧を印加する透明な電極が設けられており、一つ以上のピンホールが形成されている。これらの前後に偏光板Ａ１４ａ、偏光板Ｂ１４ｂを配置し、これらを眼鏡フレーム１に固定できる構造になっている。また、液晶１２に電圧を印加する手段として電極に電源１５と切り替えスイッチ１６を具備している。
【００３７】
液晶１２としては、ネマチック液晶、カイラルコレステリック液晶、コレステリック液晶、スメクチィック液晶、スメクチィックＣ液晶、強誘電性液晶等を用いることが出来る。また、液晶１２の厚みとしては、光を透過し、且つ容易に液晶１２を動作できる厚みである２μｍから１ｍｍであればよく、さらに好ましくは、液晶１２の厚みが厚くなればなるほど液晶１２を動作させるときに高電圧が必要となり、且つ応答性も低下するため、２μｍから１００μｍにすることで、液晶１２の動作が３０Ｖ以下で可能となり、応答性も１Ｓｅｃ以下にすることが可能である。
【００３８】
次にガラス基板１３の内面の成膜する電極としては、透明で抵抗値が低く形状を作製するのが容易であれば良く、好ましくはＩＴＯ（酸化インジウム＋酸化スズ）、ＩＺＯ（酸化インジウム＋酸化亜鉛）である。また、透明電極にはピンホール５が形成されており、透明電極を成膜する際にマスクを行って形成したり、エッチングによって形成したりすることが出来る。このときのピンホール５の直径としては、実施例１と同様に０．５ｍｍから２ｍｍであることが好ましい。ピンホール５の形状としては円に限られるものではなく、例えばこの円に内接または外接する正多角形をなしているピンホール５でも良い。
【００３９】
さらに液晶１２と接触するガラス基板１３の電極には配向処理が行われており、好ましくはツイスト配向（２枚の基板間に挟まれた液晶分子群の長軸方向が基板面に平行で、上下の基板間でねじれている配向状態。図７の液晶１２の状態。）である。配向処理の方法としては、ポリイミドやＰＶＡ（ポリビニルアルコール）を用いて配向を行っている。ポリイミドの場合、ポリイミドをスピンーコータにてスピンコーティングを行い、次にポリイミドを焼成する。次に焼結したポリイミドに不織布を用いてラビング処理を行い、ガラス基板１３の配向処理を行っている。
【００４０】
偏光板Ａ１４ａ、偏光板Ｂ１４ｂは、あらゆる方向に振動している光から透過軸と同一方向に振動している光だけを透過させる透明基板であって、このような効果を得られる透明基板であれば如何なるものでも良い。偏光板Ａ１４ａ、偏光板Ｂ１４ｂの設置方向としては、ガラス基板１３の配向方向と同じ方向にしておくことが好ましく、ツイスト配向を行った場合、透過軸が垂直交わる必要がある。
【００４１】
液晶１２に印加する電源１５としては、液晶１２を動作させて且つ保持できればよく、直流、交流どちらでも良い。
【００４２】
電源１５の切り替えスイッチ１６としては、液晶１２を動作させるために電源１５をオン／オフできればよく、眼鏡フレーム２に切り替えスイッチ１６を装着しても良い。装着場所はこれに限られるものではなく、眼鏡以外の場所に切り替えスイッチ１６を設置しても良い。
【００４３】
本発明のピンホール眼鏡１７の動作方法について図７、図８を用いて説明する。
【００４４】
通常使用時には図７に示すように、電源１５をオフの状態にて使用し、液晶１２と偏光板Ａ１４ａ、偏光板Ｂ１４ｂが透過するためにレンズ全体で見ることが出来る。詳細には、光（対象物）６が偏光板Ａ１４ａに入射すると偏光板Ａ１４ａの透過軸Ａ１８ａの方向に偏光される。次に偏光板Ａ１４ａによって偏光された光（対象物）６はガラス基板１３を透過してツイスト配向された液晶１２により、偏光板Ａ１４ａの透過軸Ａ１８ａ方向の光（対象物）６がねじれて偏光板Ｂ１４ｂの透過軸Ｂ１８ｂ方向の光（対象物）６に変換される。次に偏光板Ｂ１４ｂの透過軸Ｂ１８ｂ方向の光（対象物）６に変換された光（対象物）６は、偏光板Ｂ１４ｂの透過軸Ｂ１８ｂが同じであるために透過して眼９によって図７の見え方９ｅに示すように光（対象物）を認識する。
【００４５】
次に、屈折異常の矯正時には図８に示すように電源１５をオンの状態にて使用し、ガラス基板１３の電極部分の液晶１２が動作するため、ピンホール５以外の部分は遮光してピンホール５からのみ光（対象物）６を見ることが出来る。詳細には、液晶１２に電圧を印加することによって、今までツイスト配向によってガラス基板１３とほぼ平行に配列していた液晶１２の粒子が、ピンホール５を形成した部分以外でガラス基板１３に対して垂直になる。そのため、ガラス基板１３に電極が形成した部分では、光（対象物）６が偏光板Ａ１４ａに入射すると偏光板Ａ１４ａの透過軸Ａ１８ａの方向に偏光され、偏光板Ａ１４ａによって偏光された光（対象物）６は、液晶１２の粒子がガラス基板１３に対して垂直になっているため、光（対象物）６が液晶１２を通過してもねじられることなく偏光板Ａ１４ａの透過軸Ａ１８ａ方向の光（対象物）６となる。そして、偏光板Ａ１４ａの透過軸Ａ１８ａ方向の光（対象物）６は偏光板Ｂ１４ｂの透過軸Ｂ１８ｂが異なるために、ガラス基板１３に電極が形成した部分では偏光板Ｂ１４ｂによって光（対象物）６を遮光する。しかし、ピンホール５の部分では電源１５がオフのときと同様に、光（対象物）６が偏光板Ａ１４ａに入射すると偏光板Ａ１４ａの透過軸Ａ１８ａの方向に偏光され、偏光板Ａ１４ａによって偏光された光（対象物）６はガラス基板１３を透過し、ツイスト配向された液晶１２により、偏光板Ａ１４ａの透過軸Ａ１８ａ方向の光（対象物）６がねじれて偏光板Ｂ１４ｂの透過軸Ｂ１８ｂ方向の光（対象物）６に変換される。次に偏光板Ｂ１４ｂの透過軸Ｂ１８ｂ方向の光（対象物）６に変換された光（対象物）６は、偏光板Ｂ１４ｂの透過軸Ｂ１８ｂが同じであるため、ピンホール５の部分では透過する。このように電源１５をオンにすることによって、ピンホール５以外の部分は遮光して図８の見え方９ｆに示すようにピンホール５からのみ光（対象物）６が透過し、小さなピンホール５を通して見た場合、水晶体を光が屈折せずに光の直進性により光が網膜に直接達するためにピンホール効果によって鮮明に光（対象物）６を認識することが可能となる。
【００４６】
以上のようなピンホール眼鏡１７を使用することで通常生活では矯正が必要でない人が急遽矯正が必要になった場合（例えば老眼など）においても液晶１２に電圧を印加することで鮮明に光（対象物）６を認識することが可能となる。また、一般的な眼鏡と同様の形状をしているため、ピンホールの瞳孔位置への再配置が不必要となる。
【実施例４】
【００４７】
本発明の実施例４について、図９を用いて説明する。
【００４８】
実施例４は屈折異常（近視、遠視、乱視、老眼）をピンホール現象および矯正用レンズを用いて２つ以上の屈折異常を矯正する液晶を使用したピンホール眼鏡を説明する。
【００４９】
図９は本発明の液晶を使用したピンホール眼鏡の構成を示す図である。
【００５０】
本発明のピンホール眼鏡１９は実施例３のピンホール眼鏡１７の偏光板Ａ１４ａの前方または偏光板Ｂ１４ｂの後方に矯正用レンズ１１を配置したものである。矯正用レンズ１１としては、通常で近視の矯正が必要な場合においては凹レンズを用い、遠視の矯正が必要な場合においては凸レンズを用いることが出来る。本発明においてはこれに限られるものではなく、その他のレンズを用いても良い。
【００５１】
本発明のピンホール眼鏡１９の動作方法について説明する。
【００５２】
通常の矯正時においては図７に示すように、電源１５をオフの状態にて使用し、液晶１２と偏光板Ａ１４ａ、偏光板Ｂ１４ｂが透過するため、これらのレンズの前方または後方に設置することで矯正用レンズ１１によって見ることが出来る。詳細には、光（対象物）６が偏光板Ａ１４ａに入射すると偏光板Ａ１４ａの透過軸Ａ１８ａの方向に偏光される。次に偏光板Ａ１４ａによって偏光された光（対象物）６はガラス基板１３を透過し、ツイスト配向された液晶１２により、偏光板Ａ１４ａの透過軸Ａ１８ａ方向の光（対象物）６がねじれて偏光板Ｂ１４ｂの透過軸Ｂ１８ｂ方向の光（対象物）６に変換される。次に偏光板Ｂ１４ｂの透過軸Ｂ１８ｂ方向の光（対象物）６に変換された光（対象物）６は、偏光板Ｂ１４ｂの透過軸Ｂ１８ｂが同じであるために透過し、更に矯正用レンズ１１を透過し、眼９によって実施例３の図７の見え方９ｅと同様にレンズ全体で光（対象物）６を認識する。
【００５３】
次に、その他の屈折異常の矯正時には図８に示すように、電源１５をオンの状態にて使用し、ガラス基板１３の電極部分の液晶１２が動作するため、ピンホール５以外の部分は遮光してピンホール５からのみ光（対象物）６を見ることが出来るため、これらのレンズの前方または後方に設置した矯正用レンズ１１は影響が小さくなる。詳細には、液晶１２に電圧を印加することによって、今までツイスト配向によってガラス基板１３とほぼ平行に配列していた液晶１２の粒子が、ピンホール５を形成した部分以外でガラス基板１３に対して垂直になる。そのため、ガラス基板１３に電極が形成した部分では、光（対象物）６が偏光板Ａ１４ａに入射すると偏光板Ａ１４ａの透過軸Ａ１８ａの方向に偏光され、偏光板Ａ１４ａによって偏光された光（対象物）６は、液晶１２の粒子がガラス基板１３に対して垂直になっているため、光（対象物）６が液晶１２を通過してもねじられることなく偏光板Ａ１４ａの透過軸Ａ１８ａ方向の光（対象物）６となる。そして、偏光板Ａ１４ａの透過軸Ａ１８ａ方向の光（対象物）６は偏光板Ｂ１４ｂの透過軸Ｂ１８ｂが異なるために、ガラス基板１３に電極が形成した部分では偏光板Ｂ１４ｂによって光（対象物）６を遮光する。しかし、ピンホール５の部分では電源１５がオフのときと同様に、光（対象物）６が偏光板Ａ１４ａに入射すると偏光板Ａ１４ａの透過軸Ａ１８ａの方向に偏光され、偏光板Ａ１４ａによって偏光された光（対象物）６はガラス基板１３を透過し、ツイスト配向された液晶１２により、偏光板Ａ１４ａの透過軸Ａ１８ａ方向の光（対象物）６がねじれて偏光板Ｂ１４ｂの透過軸Ｂ１８ｂ方向の光（対象物）６に変換される。次に偏光板Ｂ１４ｂの透過軸Ｂ１８ｂ方向の光（対象物）６に変換された光（対象物）６は、偏光板Ｂ１４ｂの透過軸Ｂ１８ｂが同じであるため、ピンホール５の部分では透過する。このように電源１５をオンにすることによって、ピンホール５以外の部分は遮光して実施例３の図８の見え方９ｆと同様にピンホール５からのみ光（対象物）６が透過し、小さなピンホールを通して見た場合、矯正用レンズ１１を屈折せずに透過し、更に水晶体でも光が屈折せずに光の直進性により光が網膜に直接達するためにピンホール効果によって鮮明に光（対象物）６を認識することが可能となる。
【００５４】
実施例４に記載のピンホール眼鏡１９は基本的に、屈折異常を２つ以上有する場合、例えば近視の屈折異常者で且つ老眼の屈折異常を持つ人や遠視の屈折異常者で且つ老眼の屈折異常を持つ人に有効であり、以上のようなピンホール眼鏡１９を使用することで通常生活での矯正も行い且つ急遽その他の矯正が必要になった場合（例えば老眼など）においても液晶１２に電圧を印加することで鮮明に光（対象物）６を認識することが可能となる。また、一般的な眼鏡と同様の形状をしているため、ピンホールの瞳孔位置への再配置が不必要となる。
【産業上の利用可能性】
【００５５】
本発明にかかるピンホール眼鏡は、眼鏡フレームに装着され、且つ、瞳孔前方に配置されるレンズとからなる眼鏡において、レンズとして、第一の偏光板と少なくとも一つ以上のピンホールを形成した第二の偏光板とを配置し、第一の偏光板と第二の偏光板は少なくともどちらか一方を制御し、ピンホール以外の部分を透過あるいは遮光に切り替える機構を有したことを特徴とするものであって、通常生活では矯正が必要でない人が急遽矯正が必要になった場合（例えば老眼など）、ピンホール以外の部分を透過から遮光に切り替えることでピンホール効果によって鮮明に光（対象物）を認識することが可能な遠近両用のピンホール眼鏡として有用である。
【００５６】
また、眼鏡フレームに装着され、且つ、瞳孔前方に配置されるレンズとからなる眼鏡において、レンズとして、二枚の透過軸を垂直に配置した偏光板の間にピンホールを形成した電極であるガラス基板を対向するように配置し、その対向したガラス基板の間に液晶を封入し、ピンホール以外の部分を透過あるいは遮光に切り替えることを特徴とするものであって、通常生活では矯正が必要でない人が急遽矯正が必要になった場合（例えば老眼など）、ピンホール以外の部分を透過から遮光に切り替えることでピンホール効果によって鮮明に光（対象物）を認識することが可能な遠近両用のピンホール眼鏡として有用である。
【図面の簡単な説明】
【００５７】
【図１】本発明の実施例１における偏光板を使用したピンホール眼鏡の構造を示す図
【図２】本発明のピンホール眼鏡におけるピンホールの構成を示す図
【図３】本発明の実施例１における偏光板を使用したピンホール眼鏡の動作方法を示す図
【図４】本発明の実施例２における偏光板を使用したピンホール眼鏡の構造を示す図
【図５】本発明の実施例２における偏光板を使用したピンホール眼鏡の動作方法を示す図
【図６】本発明の実施例３における液晶を使用したピンホール眼鏡の構造を示す図
【図７】本発明の実施例３における液晶を使用したピンホール眼鏡の動作方法を示す図
【図８】本発明の実施例３における液晶を使用したピンホール眼鏡の動作方法を示す図
【図９】本発明の実施例４における液晶を使用したピンホール眼鏡の構造を示す図
【図１０】本発明のピンホール眼鏡におけるピンホールによる改善を示す図
【符号の説明】
【００５８】
１  ピンホール眼鏡
２  眼鏡フレーム
３  第一の偏光板
４  第二の偏光板
５  ピンホール
６  光（対象物）
７ａ  第一の偏光板の透過軸
７ｂ  第一の偏光板の透過軸
８ａ  第二の偏光板の透過軸
８ｂ  第二の偏光板の透過軸
９  眼
９ａ  見え方
９ｂ  見え方
９ｃ  見え方
９ｄ  見え方
９ｅ  見え方
９ｆ  見え方
１０  ピンホール眼鏡
１１  矯正用レンズ
１２  液晶
１３  ガラス基板
１４ａ  偏光板Ａ
１４ｂ  偏光板Ｂ
１５  電源
１６  切り替えスイッチ
１７  ピンホール眼鏡
１８ａ  透過軸Ａ
１８ｂ  透過軸Ｂ
１９  ピンホール眼鏡
【図１】
2007212622.tif 000003
【図２】
2007212622.tif 000004
【図３】
2007212622.tif 000005
【図４】
2007212622.tif 000006
【図５】
2007212622.tif 000007
【図６】
2007212622.tif 000008
【図７】
2007212622.tif 000009
【図８】
2007212622.tif 000010
【図９】
2007212622.tif 000011
【図１０】
2007212622.tif 000012